(57)【要約】【課題】超音波溶着時における耐性に優れると共に、液体の導入時における圧力損失を低減することができる液体吐出ヘッド、および液体吐出装置を提供すること。【解決手段】ケース３０の上面には、上方に向かって円筒状に突き出た突起部４１とフランジ部４３とを有するインク導入部材４０が設けられている。インク導入部材４０は、突起部４１の端部において、中央に大きく形成された導入孔４２と、導入孔４２の外縁から導入孔４２の内側に傾斜するように延出する延出部４６とを有している。【選択図】図３
2007313702.tif 000002
【特許請求の範囲】
【請求項１】
液状体を導入するための液体導入部材と基体とが、溶着により接合されてなる液体吐出ヘッドであって、
前記液体導入部材の端部に形成された導入孔と、
前記導入孔の外縁から当該導入孔の内側に傾斜して延出する延出部と、を備えることを特徴とする液体吐出ヘッド。
【請求項２】
前記延出部を、前記導入孔の中心に対して略等方的な配置で複数備えることを特徴とする請求項１に記載の液体吐出ヘッド。
【請求項３】
前記延出部を３つないし４つ備えることを特徴とする請求項２に記載の液体吐出ヘッド。
【請求項４】
前記延出部の先端の形状が丸みを有することを特徴とする請求項１ないし３のいずれか一項に記載の液体吐出ヘッド。
【請求項５】
請求項１ないし４のいずれか一項に記載の液体吐出ヘッドを搭載する液体吐出装置。
【発明の詳細な説明】
【技術分野】
【０００１】
本発明は、インクジェット式記録装置、ディスプレー製造装置、電極形成装置、あるいは、バイオチップ製造装置などの液体吐出装置、およびこれらの液体吐出装置に搭載される液体吐出ヘッドに関する。
【背景技術】
【０００２】
従来、液体吐出装置として、紙への印刷に適したインクジェットプリンタが広く知られており、一般的には、印刷用紙に対して往復動するキャリッジに、液体（液滴）の吐出のための微小なノズルが設けられた液体吐出ヘッドが搭載された構成である。例えば、特許文献１に掲げる液体吐出ヘッドには、外部のインクカートリッジの導出部に結合されてインクを導入するインク供給針（液体導入部材）が設けられている。
【０００３】
上述のインク供給針は、円錐状に形成された尖端部の周面に複数の導入孔が形成された中空針上の部材である。尖端部の周面は、インクカートリッジの導出口に挿入される際においてガイドとしての役割を果たし、また、導入孔を通じてインクカートリッジからインクを導入することができる。
【０００４】
【特許文献１】特開平１０−１９３６４６号公報
【発明の開示】
【発明が解決しようとする課題】
【０００５】
インク供給針の導入孔は、インクを導入する際に圧力損失（流動抵抗）を生じる箇所となるため、圧力損失低減の観点からはその内径をある程度大きくすることが好ましい。しかしながら、導入孔の径を広げると隣接する導入孔間の隔壁が薄くなってしまい、これにより、インク供給針を液体吐出ヘッドの基体（ケース）に超音波溶着する際に、導入孔間の隔壁が破壊されてしまうことがある。
【０００６】
本発明は、上述の課題を解決するためになされたもので、超音波溶着時における耐性に優れると共に、液体の導入時における圧力損失を低減することができる液体吐出ヘッド、および液体吐出装置を提供することを目的としている。
【課題を解決するための手段】
【０００７】
本発明は、液状体を導入するための液体導入部材と基体とが、溶着により接合されてなる液体吐出ヘッドであって、前記液体導入部材の端部に形成された導入孔と、前記導入孔の外縁から当該導入孔の内側に傾斜して延出する延出部と、を備えることを特徴とする。
【０００８】
この発明の液体吐出ヘッドによれば、従来技術に係る構造のような隔壁部分を導入孔周りに有していないので、超音波溶着時における耐性に優れている。また、導入孔は、液体導入部材の端部の中央に十分大きく設けることができるため、液体の導入時において大きな圧力損失を生じることがない。また、導入孔の外縁から内側に傾斜して延出する延出部は、液体導入部材が外部の液体供給手段の導出部に挿入される際にガイドとしての役割を果たすことができる。
【０００９】
また好ましくは、前記液体吐出ヘッドにおいて、前記延出部を前記導入孔の中心に対して略等方的な配置で複数備えることを特徴とする。
さらに好ましくは、前記延出部を３つないし４つ備えることを特徴とする。
【００１０】
この発明の液体吐出ヘッドによれば、液体導入部材が液体供給手段の導出部に挿入される際に、液体導入部材が複数の位置において偏りなくガイドされる。この場合において、延出部の数が少なすぎるとガイド位置の偏りが生じ、また延出部の数が多すぎると延出部が小さくなって強度の低下を招いてしまうため、延出部は３つないし４つ設けられていることが好ましい。
【００１１】
また好ましくは、前記延出部の先端の形状が丸みを有することを特徴とする。
この発明の液体吐出ヘッドによれば、延出部の先端への超音波エネルギーの集中が抑えられるので、超音波振動に対する耐性に優れている。
【００１２】
本発明の液体吐出装置は、前記液体吐出ヘッドを備えることを特徴とする。
【００１３】
この発明の液体吐出装置によれば、従来技術に係る構造のような隔壁部分を導入孔周りに有していないので、超音波溶着時における耐性に優れている。また、導入孔は、液体導入部材の端部の中央に十分大きく設けることができるため、液体の導入時において大きな圧力損失を生じることがない。また、導入孔の外縁から内側に傾斜して延出する延出部は、液体導入部材が外部の液体供給手段の導出部に挿入される際にガイドとしての役割を果たすことができる。
【発明を実施するための最良の形態】
【００１４】
以下、本発明の好適な実施の形態を添付図面に基づいて詳細に説明する。
なお、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。また、以下の説明で参照する図では、図示の便宜上、部材ないし部分の縦横の縮尺を実際のものとは異なるように表す場合がある。
【００１５】
（液体吐出装置の構成について）
まずは、図１を参照して液体吐出装置の構成について説明する。
図１は、液体吐出装置の外観構成を表す概略平面図である。
【００１６】
図１において、液体吐出装置としてのプリンタ１は、スチール板等で形成されたガイドフレーム２と、用紙（図示せず）を支持するためのプラテン３と、プラテン３に対向する一面に微小なノズルを有する液体吐出ヘッド１０と、液体吐出ヘッド１０のノズルメンテナンスを行うためのメンテナンスユニット４とを備えている。液体吐出ヘッド１０は、キャリッジ５に搭載されて、駆動ベルト６によって、図の左右方向に往復移動（走査）される。
【００１７】
液体吐出ヘッド１０には、液体としての４色の着色インク（インク）が、それぞれインクカートリッジ１１ａ〜１１ｄから、供給管１２ａ〜１２ｄおよび圧力調整ユニット１３ａ〜１３ｄを通じて供給される。そして、キャリッジ５の走査および用紙（図示せず）の搬送に同期して液体吐出ヘッド１０のノズル毎の吐出制御が行われ、プラテン３上において用紙（図示せず）のカラー印刷が行われる。
【００１８】
メンテナンスユニット４は、液体吐出ヘッド１０のノズルの形成面に密着してノズルの開口を封止（キャッピング）するキャップ７と、ゴム等で形成された板状部材であるワイパブレード８とを備えている。キャップ７は、ノズルを保護する役割を果たすほか、連通するポンプ（図示せず）を駆動してノズルからインクを吸引するいわゆる吸引動作（回復動作）を行う際にも用いられる。また、ワイパブレード８は、ノズルの形成面に付着したインクを払拭するいわゆるワイピング動作に用いられる。
【００１９】
インクカートリッジ１１ａ〜１１ｄは、気密性のプラスチックケース内に可撓性のインク容器を備えた構成である。そして、加圧ポンプユニット１４から通気管１５ａ〜１５ｄを通じて送られる加圧空気により、インクを加圧して供給する。加圧されたインクは液体吐出ヘッド１０にマウントされた圧力調整ユニット１３ａ〜１３ｄによって減圧され、負圧（大気圧より低い圧力）下で液体吐出ヘッド１０に供給される。
【００２０】
（液体吐出ヘッドの構成について）
次に、図２、図３、図４を参照して液体吐出ヘッドの構成について説明する。
図２は、液体吐出ヘッドの全体構成を示す図である。図３は、インク導入部材の周辺構造を示す断面図である。図４は、インク導入部材の構造を示す平面図である。
【００２１】
液体吐出ヘッド１０は、圧力調整ユニット１３ａ〜１３ｄ（図１参照）をマウント可能なようにガイド用のリブや凹部（部分的に図示を省略）が形成された基体としてのケース３０を備えている。また、ケース３０の下部には、インクを吐出するための吐出部１６と、吐出に係る制御回路を有する電気回路部１７が設けられている。
【００２２】
吐出部１６は、一面に所定の配列で形成されたノズル２０と、ノズル２０の個々と連通するキャビティ２２と、対応するインク種ごとにキャビティ２２にインクを供給するリザーバ２３を備えている。キャビティ２２の天蓋部２４は可撓性膜２５により移動可能となっており、天蓋部２４と接合された圧電素子２６の駆動により、インクがノズル２０から吐出される。
【００２３】
ケース３０の上面には、圧力調整ユニット１３ａ〜１３ｄと結合してインクを導入するための、液体導入部材としてのインク導入部材４０が設けられている。インク導入部材４０は、上方に向かって円筒状に突き出た突起部４１と、ケース３０側において裾を広げたフランジ部４３を有しており、フランジ部４３において、その外周面がガイド部３１により規定された状態でケース３０と超音波溶着（融着）されている。フランジ部４３の下面には、超音波溶着する際の作用部としての溶着突起４４（図３では、溶着により押し潰された状態）が形成されている。
【００２４】
突起部４１の端部には、中央において大きく形成された導入孔４２と、導入孔４２の外縁から導入孔４２の内側に傾斜するように延出した延出部４６が設けられている。図示のように、延出部４６は導入孔４２の中心に対して等方的な配置で４つ設けられており、また、延出部４６の先端４６ａは丸みのある形状となっている。
【００２５】
突起部４１の端部は、従来技術に係る構造のような隔壁部分を導入孔４２周りに有していないので、超音波溶着時における耐性に優れている。さらに、延出部４６の先端４６ａを丸みのある形状とすることで、超音波振動のエネルギーが先端４６ａに集中しにくいように配慮されている。これにより、超音波溶着の際において、延出部４６の破壊が好適に抑えられるようになっている。
【００２６】
インク導入部材４０は、内部に導入流路４５を有しており、導入流路４５の一端は導入孔４２に連通し、他端側は拡幅されて、フィルタ５０を挟んでケース３０側の供給流路３２と連通している。導入孔４２を通じて導入されたインクは、導入流路４５、フィルタ５０、供給流路３２を通じて吐出部１６に供給される。
【００２７】
尚、上述したケース３０およびインク導入部材４０の材料には、成型や溶着に適した材料であるＰＰＥ（PolyPhenylene Ether）等の樹脂や、樹脂にガラス素材等を混ぜ込んだ混合材料などが用いられている。
【００２８】
フィルタ５０は、金属線をメッシュ状に編みこんでなる部材であり、供給流路３２の連通口の形成面に溶着されている。フィルタ５０は、導入流路４５から供給流路３２へと供給されるインクに含まれる異物等をトラップする役割を果たすものである。尚、導入流路４５および供給流路３２のフィルタ５０側が拡幅されているのは、フィルタ５０の有効面積を大きくして通過に係るインクの流動抵抗（損失水頭）を低減するための配慮である。
【００２９】
（液体吐出ヘッドと圧力調整ユニットとの結合について）
次に、図５を参照して、液体吐出ヘッドと圧力調整ユニットとの結合について説明する。
図５は、インク導出部とインク導入部材との結合の過程を示す図である。
【００３０】
圧力調整ユニット１３ａ〜１３ｄ（図１参照）の下部には、図５に示すように、インクＬを導出するためのインク導出部６０が設けられている。インク導出部６０は、インクを導出するための導出流路６１と、導出流路６１の一部を閉塞可能なボール弁６２と、インク導入部材４０との接続部分をシールするためのＯリング６３とを備えている。
【００３１】
図５（ａ）に示す状態では、ボール弁６２は導出流路６１を閉塞しており、また、Ｏリング６３の内径は、インク導入部材４０の突起部４１の外径よりもわずかに小さくなっている。図示のように、インク導入部材４０の突起部４１がインク導出部６０に挿入される際には、導入孔４２の外縁から内側に傾斜して形成されている延出部４６は、導出流路６１の開口部６１ａやＯリング６３の内面との間で突起部４１の挿入位置をガイドする役割を果たす。
【００３２】
延出部４６が挿入位置のガイドの役割を果たす場合において、延出部４６の先端４６ａは丸みを有する形状となっているため、導出流路６１の開口部６１ａやＯリング６３が傷つけられることはない。また、延出部４６は導入孔４２の中心に対して等方的な配置で複数（この実施形態では４つ）設けられているため、突起部４１は、複数の位置において偏りなくガイドされる。
【００３３】
図５（ｂ）に示すように、インク導入部材４０がインク導出部６０にさらに挿入された場合においては、Ｏリング６３が突起部４１の周面に密着して、接続部分がシールされる。また、突起部４１の端部に形成された延出部４６がボール弁６２を押し上げて、導出流路６１が開いた状態となる。
【００３４】
延出部４６は導入孔４２の外縁から延出して形成されているため、図示のようにボール弁６２を押し上げた状態にあっても、導入孔４２全体がボール弁６２によって閉塞されることはなく、導入孔４２を通じてインクＬを導入することができる。また、導入孔４２は、突起部４１の端部の中央において十分大きく形成することができるため、インクＬの導入の際に大きな圧力損失（流動抵抗）を伴うこともない。また、本実施形態のインク導入部材４０は、導入孔４２により上方が大きく開放された構造となっているため、導入流路４５（図３参照）内において局所的に気泡が滞留することがなく、このような気泡が印刷動作中にノズルへ流出して吐出不良を引き起こす虞もない。
【００３５】
（変形例）
次に、図６を参照して、変形例について、先の実施形態との相違点を中心に説明する。
図６は、変形例に係るインク導入部材の構造を示す平面図である。
【００３６】
図６に示すように、この変形例に係るインク導入部材４０の延出部４６は、導入孔４２の中心に対して等方的な配置で３つ設けられており、また、延出部４６は先の実施形態よりも大きく形成されている。この変形例のように、本発明に係る延出部の数や形状は実施形態に限定されるものではなく、本発明の趣旨を違えない範囲で様々な態様とすることができる。
【００３７】
本発明は上述の実施形態に限定されない。
例えば、本発明は、インクカートリッジを直接キャリッジ（液体吐出ヘッド）にマウントして印刷を行ういわゆるオンキャリッジタイプのプリンタや、工業用途において各種機能液を基板等にパターン化して配置するのに用いる描画装置にも適用することができる。
また、インク導入部材と結合されるインク導出部の構造として、ボール弁を有しない態様などを採用することもできる。
また、実施形態の構成はこれらを適宜組み合わせたり、省略したり、図示しない他の構成と組み合わせたりすることができる。
【図面の簡単な説明】
【００３８】
【図１】液体吐出装置の外観構成を表す概略平面図。
【図２】液体吐出ヘッドの全体構成を示す図。
【図３】インク導入部材の周辺構造を示す断面図。
【図４】インク導入部材の構造を示す平面図。
【図５】（ａ），（ｂ）は、インク導出部とインク導入部材との結合の過程を示す図。
【図６】変形例に係るインク導入部材の構造を示す平面図。
【符号の説明】
【００３９】
１…液体吐出装置としてのプリンタ、１０…液体吐出ヘッド、１３ａ〜１３ｄ…圧力調整ユニット、３０…基体としてのケース、３２…供給流路、４０…液体導入部材としてのインク導入部材、４１…突起部、４２…導入孔、４３…フランジ部、４４…溶着突起、４５…導入流路、４６…延出部、４６ａ…先端、５０…フィルタ、６０…インク導出部、６１…導出流路、６１ａ…開口部、６２…ボール弁、６３…Ｏリング、Ｌ…インク。
【図１】
2007313702.tif 000003
【図２】
2007313702.tif 000004
【図３】
2007313702.tif 000005
【図４】
2007313702.tif 000006
【図５】
2007313702.tif 000007
【図６】
2007313702.tif 000008
【手続補正書】
【提出日】平成19年6月1日(2007.6.1)
【手続補正１】
【補正対象書類名】特許請求の範囲
【補正対象項目名】全文
【補正方法】変更
【補正の内容】
【特許請求の範囲】
【請求項１】
液状体を導入するための液体導入部材と基体とが、接合されてなる液体吐出ヘッドであって、
前記液体導入部材の端部に形成された導入孔と、
前記導入孔の外縁から当該導入孔の内側に傾斜して延出する延出部と、を備えることを特徴とする液体吐出ヘッド。
【請求項２】
前記延出部を、前記導入孔の中心に対して略等方的な配置で複数備えることを特徴とする請求項１に記載の液体吐出ヘッド。
【請求項３】
前記延出部を３つないし４つ備えることを特徴とする請求項２に記載の液体吐出ヘッド。
【請求項４】
前記延出部の先端の形状が丸みを有することを特徴とする請求項１ないし３のいずれか一項に記載の液体吐出ヘッド。
【請求項５】
請求項１ないし４のいずれか一項に記載の液体吐出ヘッドを搭載する液体吐出装置。